(57)【要約】【課題】ユーザが撮影した撮影画像を、折に触れて楽しく多角的に鑑賞することができる映像再生装置を提供すること。【解決手段】デジタルカメラ１によって撮影され、メモリ２に記録された撮影画像は検索照合部９に入力される。同時にアンテナ６を介して受信され、デコード部８においてデコードされた番組映像も検索照合部９に入力される。検索照合部９では撮影画像に記録された画像情報に基づいて撮影画像と番組映像との比較が行われ、この結果に基づいて、撮影画像と番組映像とが合成されて、再生部１１で再生される。【選択図】図１
2005318305.tif 000002
【特許請求の範囲】
【請求項１】
デジタルカメラで撮影された撮影画像とともに、その撮影画像に関連付けられた情報を記録する撮影画像記録手段と、
複数の番組映像を受信可能であり、上記撮影画像記録手段に記録された上記撮影画像に関連付けられた情報に従って、上記受信した複数の番組映像の中から何れかの番組映像を選択する選択手段と、
上記選択手段によって選択された番組映像と上記撮影画像記録手段に記録された上記撮影画像とを関連付けて再生する再生手段と、
を具備することを特徴とする映像再生装置。
【請求項２】
上記撮影画像に関連付けられた情報は、上記撮影画像を撮影した場所の情報または上記撮影画像を撮影した日付の情報の少なくとも何れかであることを特徴とする請求項１に記載の映像再生装置。
【請求項３】
上記選択手段による選択は、上記撮影画像に関連付けられた情報に従って、上記撮影画像を撮影したのと同一の場所または上記撮影画像を撮影したのと同一の日付に関係する番組映像を選択することで行い、
上記選択手段は、上記選択した番組映像を記録する選択映像記録手段を有することを特徴とする請求項１に記載の映像再生装置。
【請求項４】
上記再生手段による再生は、上記番組映像再生時の所定タイミングで上記撮影画像を再生する、または、上記番組映像の一部に上記撮影画像を合成した合成映像を再生することで行うことを特徴とする請求項１に記載の映像再生装置。
【請求項５】
上記番組映像の一部に上記撮影画像を合成した合成映像を形成するために、上記番組映像を記録する番組映像記録手段を更に具備することを特徴とする請求項４に記載の映像再生装置。
【発明の詳細な説明】
【技術分野】
【０００１】
本発明は、映像再生装置に関し、特に放送局から受信した番組映像を再生することが可能な映像再生装置に関する。
【背景技術】
【０００２】
番組映像を合成して作成する技術については、例えば特許文献１において提案されているものがある。この特許文献１の技術では、データベースに記録された画像データをキーワードによって検索し、検索した画像データを合成装置によって合成して、放送用の番組映像を作成する。このように、番組映像を作り出すために、例えばニュースの時に、種々の関連画像を番組内に折り込んでいく技術は、スピードと正確さを狙うために重要であり、非常に古くから知られている。
【０００３】
また、放送された番組の内容をより詳細に知るために、画像情報を合成して表示する技術として、例えば特許文献２の技術が知られている。このように、テレビで放送されている内容に対して、より詳しい情報を知りたいユーザに、放送局側で種々の付加サービスを行う試みも、放送局側の差別化技術として多くの提案がなされている。
【特許文献１】特開平５−１０３２３３号公報
【特許文献２】特開平９−１４９３２８号公報
【発明の開示】
【発明が解決しようとする課題】
【０００４】
しかしながら、上記した特許文献１や特許文献２の技術は、ユーザが個人で視聴又は入手した画像を、テレビ放送の多様な内容を利用して、より多角的に鑑賞できるようにする技術ではない。
【０００５】
また、デジタルカメラの普及によって、ユーザが撮影した撮影画像は、電気的なデジタルデータとして保管されることが多くなってきているが、種々のメディアの中に入って、撮影画像を直接目に触れて楽しむ機会がフィルムカメラ時代よりも格段に低下してしまっている。それによって、せっかく思い出を記録したはずの画像が知らない間に忘れられてしまうような状況が増加してきている。
【０００６】
本発明は、ユーザが撮影した撮影画像を、折に触れて楽しく多角的に鑑賞することができる映像再生装置を提供することを目的とする。
【課題を解決するための手段】
【０００７】
上記の目的を達成するために、本発明の第１の態様の映像再生装置は、デジタルカメラで撮影された撮影画像とともに、その撮影画像に関連付けられた情報を記録する撮影画像記録手段と、複数の番組映像を受信可能であり、上記撮影画像記録手段に記録された上記撮影画像に関連付けられた情報に従って、上記受信した複数の番組映像の中から何れかの番組映像を選択する選択手段と、上記選択手段によって選択された番組映像と上記撮影画像記録手段に記録された上記撮影画像とを関連付けて再生する再生手段を具備することを特徴とする。
【０００８】
この第１の態様によれば、撮影者がデジタルカメラによって撮影した画像を映像再生装置で再生される番組映像と関連付けて再生することができる。
【発明の効果】
【０００９】
本発明によれば、ユーザが撮影した撮影画像を、折に触れて楽しく多角的に鑑賞することができる映像再生装置を提供することができる。
【発明を実施するための最良の形態】
【００１０】
［第１の実施形態］
図１は本発明の第１の実施形態に係る映像再生装置を含む映像再生システムの構成図である。この映像再生システムは、デジタルカメラ１と、映像再生装置３と、放送局１３とから構成されている。
【００１１】
デジタルカメラ（以下、カメラと称する）１では、被写体１００の像がデジタル的な画像信号に変換され、得られた撮影画像データ１ａが撮影画像記録手段としてのメモリ２に記録される。また、カメラ１内には、画像撮影時の撮影日時と撮影場所とが検出できるように時計やＧＰＳ等が内蔵されている。これらによって検出された撮影日時や撮影場所といった撮影画像に関連する情報（以下、画像情報と称する）１ｂが、撮影画像データ１ａと共にメモリ２に記録される。このメモリ２は、カメラ１に挿脱自在なカード型メモリを用いるようにしても良いし、カメラ１に通信機能を持たせておけばカメラ外部のメモリ（ハードディスクドライブなど）を用いることもできる。このメモリ２に記録された内容は、映像再生装置３の検索照合部９に入力される。
【００１２】
映像再生装置３は、例えば家庭用のテレビジョン受像機を想定している。この映像再生装置３には、ユーザが当該映像再生装置３の各種操作を行うための操作部４や、操作部４の操作入力状態に従って当該映像再生装置３全体の動作を制御する制御部５が設けられている。
【００１３】
また、この映像再生装置３には、放送局１３から送信された番組映像が、アンテナ６、受信部７を介して受信されるようになっている。受信部７において受信された番組映像信号は、デコード部８においてデコードされ、このデコードされた番組映像の内容とメモリ２に記録された撮影画像の内容とが選択手段としての検索照合部９において比較され、この比較の結果、所定の条件の番組映像が受信されたときに、合成部１０において撮影画像と番組映像とが合成されて合成映像が生成され、この合成映像が再生部１１に再生される。
【００１４】
なお、図１には、被写体１００を撮影した撮影画像と放送局１３から送信された番組映像とがピクチャーインピクチャーの形式でそれぞれ参照符号１１ａ、１１ｂで示すようにして再生部１１上で再生されている様子を示している。このような形式で再生を行うことにより、例えば旅行先でのスナップとその旅行先の情報（旅行先の地名や旅行先の名所の映像など）とを同時に再生することができ、ユーザに旅行時の印象を鮮明に想起させることができ、更には、旅行時にユーザが撮影し忘れていた風物をも楽しむことができる。
【００１５】
ここで、ユーザが番組映像を見たいとは感じず、撮影画像のみを見たいと感じることも考えられるので、後で合成映像を生成できるように、番組映像データを映像再生装置３に記録させておくようにすることが好ましい。このための記録部が、図１に示す番組映像記録部１２である。なお、番組映像記録部１２には、ハードディスクドライブなどの大容量記録媒体を用いることがより好ましい。
【００１６】
このような映像再生システムにおいて、映像再生装置内の制御部によって制御される画像再生制御のプログラム例を図２のフローチャートを参照して説明する。なお、放送局１３から送信されてきた番組映像信号の受信は、映像再生装置の電源スイッチがオフされている間も常時行われ、更に、受信された番組映像信号のデコードも定期的に行われているものとする。
【００１７】
番組映像信号が受信された場合に、制御部５は、その番組映像の内容や、映像撮影場所、映像撮影時期等の番組映像に関連する情報（以下、映像情報と称する）が付加されているか否かを判定し（ステップＳ１）、映像情報が付加されていると判定した場合にはステップＳ１をステップＳ２に分岐して、メモリ２に記録された画像情報と映像情報とを検索照合部９において照合する（ステップＳ２）。そして、ステップＳ２の照合結果から、受信された番組映像がメモリ２に記録された撮影画像にふさわしいか否かを判定する（ステップＳ３）。
【００１８】
ステップＳ３の判定において、番組映像がメモリ２に記録された撮影画像にふさわしいと判定した場合、即ちメモリ２に記録された画像情報と受信された番組映像の映像情報とが対応する場合（一致する場合、関連している場合等）には、ステップＳ３をステップＳ４に分岐して制御部５は、映像再生装置の電源スイッチがオンであるか否かを判定する（ステップＳ４）。このステップＳ４の判定において、映像再生装置の電源スイッチがオンであると判定した場合には、ステップＳ４をステップＳ５に分岐して、撮影画像と番組映像とを合成部１０にて合成し、合成された映像を図１のように再生部１１に再生する（ステップＳ５）。その後、ステップＳ１０に移行する。
【００１９】
一方、ステップＳ３の判定において、番組映像がメモリ２に記録された撮影画像にふさわしくないと判定した場合には、ステップＳ３をステップＳ６に分岐して、制御部５は、映像再生装置の電源スイッチがオンであるか否かを判定する（ステップＳ６）。ステップＳ６の判定において、映像再生装置の電源スイッチがオンであると判定した場合には、ステップＳ６をステップＳ７に分岐して、合成は行わず、受信された番組映像のみを再生部１１に再生する（ステップＳ７）。その後、ステップＳ１０に移行する。一方、ステップＳ６の判定において、映像再生装置の電源スイッチがオフである場合には、図２の処理を終了する。
【００２０】
また、ステップＳ４の判定において映像再生装置の電源スイッチがオフである場合には、ステップＳ４をステップＳ８に分岐して、撮影画像と番組映像とを合成し、この合成映像を番組映像記録部１２に記録する（ステップＳ８）。これにより、後でユーザが見たいときに合成映像を再生できるようにする。この様な記録がなされた旨は、ユーザが認識できるように通知を行う(ステップＳ９)。この後、図２の処理を終了する。ここで、ステップＳ９の通知の手法としては、再生部１１の電源を一旦オンし、この再生部１１に通知用の表示を行うようにしても良いし、映像再生装置３にＬＥＤ等の発光部材を更に設けておき、合成映像の記録が行われたときにはＬＥＤを発光させるようにして通知するようにしても良い。更には音声などによる通知を行うようにしても良い。
【００２１】
また、ステップＳ５の後及びステップＳ７の後、制御部５は、映像再生を終了するか否かを判定し（ステップＳ１０）、ユーザによって電源オフ操作などがなされたなどにより、映像再生を終了すると判定した場合には、図２の処理を終了する。一方、ステップＳ１０の判定において映像再生を終了しないと判定した場合には、映像再生を終了すると判定するまでステップＳ１０の判定を繰り返し行う。
【００２２】
この様な構成を有する映像再生システムを利用すれば、以下で示すような用途が達成可能である。
【００２３】
例えば、旅行に行ったときなどで撮影した撮影画像（この撮影画像には、図３（ａ）のように撮影場所や撮影日時などの画像情報が含まれている）を、本映像再生システムのメモリ２に記録させ、更に後述する図４の手順に従って「旅行」などの撮影画像の種別を示す情報などの情報を付加しておけば、制御部５は旅行先の場所情報を判定することができる。即ち、「ニュース」、「ドラマ」、「ドキュメンタリー」、「旅行」といった番組映像の種別、番組の撮影場所、番組の放送日時などの映像情報を持つ図３（ｂ）のような番組映像が放送されると、検索照合部９において画像情報と映像情報とで場所情報や日付情報の照合が行われる。これにより、同一の場所情報や日付情報を持つ場合には、それらの撮影画像と番組映像とが図３（ｃ）や図３（ｄ）のように合成されて再生部１１で再生される。この図３（ｃ）や図３（ｄ）の例は、再生部１１の表示領域を分割するようにして再生する例である。
【００２４】
また、撮影時刻が近い複数の撮影画像がある場合には、図３（ｃ）のように複数の撮影画像を並べて同時に再生するようにしても良い。これによって、ユーザは、番組映像の持つ音声や映像を楽しみながら同時に並列して再生された撮影画像を鑑賞し自分が行った旅行の思い出を回想することができる。
【００２５】
図４は、撮影画像の種別をユーザによって指定できるようにする処理について示すフローチャートである。なお、このフローチャートはカメラ１側で行われるものである。例えば、旅行先や出張先で撮影した画像は撮影時の場所の特定が重要であることが多く、また、結婚式や入学式、子供の成長記録のような画像は撮影時の日付の特定が重要であることが多いので、このような情報を区別できるようにしておくことで、よりユーザが所望するような合成映像を再生することができる。
【００２６】
即ち、カメラ１は、ユーザ操作によって、ある撮影画像が旅行や出張などの撮影場所が重要な画像（以下、このような画像を旅行画像と称する）に指定されたか否かを判定する（ステップＳ１１）。ステップＳ１１において、撮影画像が旅行画像に指定されたと判定した場合には、ステップＳ１１をステップＳ１２に分岐して、撮影画像が旅行画像であることを示す情報を画像情報に付加する（ステップＳ１２）。この情報が付加された画像は、映像再生装置３において場所重視の照合が行われる。
【００２７】
一方、ステップＳ１１の判定において、撮影画像が旅行画像に指定されていないと判定した場合には、ステップＳ１１をステップＳ１３に分岐して、撮影画像が記念日画像に指定されたか否かを判定する（ステップＳ１３）。ステップＳ１３の判定において撮影画像が記念日画像に指定されたと判定した場合には、撮影画像が記念日画像であることを示す情報を画像情報に付加する（ステップＳ１４）。この情報が付加された画像は、映像再生装置３において日付重視の照合が行われる。
【００２８】
更に、何枚かの撮影画像が１つのグループ（例えば同じ旅行先で撮影した画像など）としてメモリ２に記録されている場合に、ユーザはその枚数を指定できるようになっている。即ち、カメラ１は、ユーザによって枚数が指定されたか否かを判定し（ステップＳ１５）、場合には、その枚数情報を画像情報に付加する（ステップＳ１６）。画像情報に枚数情報が付加されている場合には、旅行画像であると指定された撮影画像から数えて、ユーザによって指定された枚数までの撮影画像が同一のグループであると認識される。
【００２９】
図５は、撮影画像の種別設定の処理をカメラが自動的に行う場合のフローチャートである。なお、この場合にはカメラ１にＧＰＳやカレンダー機能などを搭載しておくようにする。
【００３０】
まず、ＧＰＳなどによって検出した撮影場所が遠隔地であるか否か、即ち撮影場所がユーザの住所から所定距離よりも離れているか否かを判定する（ステップＳ２１）。なお、ユーザの住所情報は予めメモリ２に記録されているものとする。ステップＳ２１の判定において、撮影場所が遠隔地であると判定した場合には、ステップＳ２１をステップＳ２２に分岐して、旅行画像であると判定し、撮影画像が旅行画像であることを示す情報を画像情報に付加する（ステップＳ２２）。次に、メモリ２内に同じ場所の撮影画像が存在するか否かを判定し（ステップＳ２３）、メモリ２内に同じ場所の撮影画像が存在すると判定した場合には、ステップＳ２３をステップＳ２４に分岐して同じ場所の撮影画像をひとそろいのグループとしてその枚数をカウントし、カウントした枚数を枚数情報として付加した後（ステップＳ２４）、ステップＳ２８に移行する。一方、ステップＳ２３の判定において、同じ場所の撮影画像が存在しないと判定した場合には、ステップＳ２１に戻る。
【００３１】
また、ステップＳ２１の判定において、撮影場所が遠隔地でないと判定した場合には、ステップＳ２１をステップＳ２５に分岐して、撮影日付が同一の撮影画像が所定数よりも多いか否かを判定する（ステップＳ２５）。撮影日付が同一の撮影画像が所定数よりも多いと判定した場合は、ステップＳ２５をステップＳ２６に分岐して、何らかの記念日であると判定して、撮影画像が記念日画像であることを示す情報を画像情報に付加する（ステップＳ２６）。その後、撮影日付が同一の撮影画像の枚数をカウントし、カウントした枚数を枚数情報として付加した後（ステップＳ２７）、ステップＳ２８に移行する。
【００３２】
以上の処理の後、種別設定を終了するか否か、即ち全撮影画像について種別設定を行ったか否かを判定する（ステップＳ２８）。種別判定を終了しないと判定した場合には、ステップＳ２１に戻る。一方、種別判定を終了すると判定した場合には、図５の処理を終了する。
【００３３】
このようにメモリ２内で整理した撮影画像のグループを利用すれば、図６のような処理を行うこともできる。なお、第１の実施形態では、映像再生装置に入力されてくる撮影画像が旅行画像の例について説明する。撮影画像が記念日画像の場合については後述する第２の実施形態で説明する。
【００３４】
即ち、旅行画像のグループが映像再生装置３に入力されてきた場合に、映像再生装置３内の制御部５は、現在再生されている番組映像が旅行番組であるか否かを判定する（ステップＳ３１）。旅行番組が再生されていると判定した場合には、ステップＳ３１をステップＳ３２に分岐して場所重視の照合を行う。即ち、入力された旅行画像の撮影場所と放送されている旅行番組の撮影場所とが同じ場所であるか否かを判定する（ステップＳ３２）。ステップＳ３２の判定において、同じ場所の旅行番組が放送されていると判定した場合には、ステップＳ３２をステップＳ３３に分岐して番組映像を番組映像記録部１２に記録する（ステップＳ３３）。これによって、外出時など番組映像を見ていない時にも、旅先の情報が詰まった番組映像が、ユーザがプライベートで撮影した画像と関連付けられて記録され、それが容易に再生可能な状態となり、忘れていた撮影画像と共に、往時を懐かしみ、かつ番組映像によって新たな情報を得て多角的な鑑賞が可能となる。
【００３５】
また、プライベートな撮影画像の再生手法としては、図３（ｃ）や図３（ｄ）に示した再生領域の分割以外の手法もある。例えば番組の切れ目に撮影画像を見せるようにしてもよい。特に、番組映像が放送されているときにリアルタイムで見るのではなく、録画する場合には、時間的な制約がなくなるので、番組の前後やコマーシャルのタイミングで、撮影画像を再生するようにすることが簡単にできる。このような処理を図７のフローチャートに示す。
【００３６】
即ち、図７の例において、映像再生装置内部の制御部５は、映像再生装置の電源スイッチがオンであるか判定し（ステップＳ４１）、電源スイッチがオンであると判定した場合には番組映像がリアルタイムで鑑賞されているので、ステップＳ４１をステップＳ４２に分岐して、撮影画像の再生切換タイミングＴを決定した後（ステップＳ４２）、図３（ｃ）や図３（ｄ）で示したように番組映像と撮影画像とを並べて再生する（ステップＳ４３）。このとき、再生切換タイミングＴ毎に撮影画像の切り換えを行う。
【００３７】
ステップＳ４２の再生切換タイミングＴの決定について説明する。図３（ｃ）や図３（ｄ）のように番組映像と撮影画像とを合成して再生する場合に、同じ撮影画像がずっと再生されていてもつまらない。そこで、例えば図３（ｃ）から図３（ｄ）に変化するように、撮影画像の切り換えを行ったほうがよい。そこで図７の例では、番組映像の放送時間を図３（ｂ）の放送日時情報から計算する。更に、図４や図５で指定された枚数情報に従って、番組の放送時間に対して均等に再生時間を割りふるようにする。
【００３８】
例えば６０分の番組に対して、１２枚で１グループの撮影画像があれば、５分に１回撮影画像が切り換わるようにする。図７のステップＳ４７にて計算されるＴは、この５分となる。なお、同じ画像を５分間常時表示する必要はなく、５分の間にフェイドインやフェイドアウトさせたりして変化をつけたほうがより好ましい。更には、所定時間毎に図３（ｃ）のように２つの画像を同時に再生したり図３（ｄ）のように１つだけ再生したりするようにしてもよい。この時、撮影時間が近い画像は、１つの画像として扱う等の工夫をしてもよい。
【００３９】
一方、ステップＳ４１において、映像再生装置の電源スイッチがオンでないと判定した場合には番組映像を録画する場合であるので、ステップＳ４１をステップＳ４４に分岐して、番組の前後、又は切れ目で撮影画像が再生されるように番組映像を記録する（ステップＳ４４）。この時、図１の番組映像記録部１２に、番組映像とメモリ２内の撮影画像とを両方記録するようにしてもよいし、番組映像記録部１２には番組映像と、番組中断信号のみを記録するようにして、この番組中断信号が読み出された時には、制御部５が逐次メモリ２内の撮影画像を読み出して再生するようにしてもよい。これらの手法による再生時には、再生領域を分割して再生を行う必要は無く、図８に示すように、番組映像と撮影画像とが順次切り換わる。
【００４０】
これらの番組映像記録時の処理について図９（ａ）及び図９（ｂ）を参照して説明する。  
まず、図９（ａ）を参照して番組映像と撮影画像の両方を記録する例について説明する。即ち番組映像の記録を開始した後（ステップＳ５１）、制御部５は、番組が中断されたか否かを、例えば音声モードがモノラルからステレオに切り換わったかなどによって判定し（ステップＳ５２）、番組が中断されたと判定した場合には、ステップＳ５２をステップＳ５３に分岐して、番組映像の記録を中断して、メモリ２内の撮影画像を番組映像記録部１２にコピーする（ステップＳ５３）。
【００４１】
その後、制御部５は、番組が再開されたか否かを判定し（ステップＳ５４）、番組が再開されたと判定した場合には、ステップＳ５４をステップＳ５５に分岐して、番組映像の記録を再開する（ステップＳ５５）。
【００４２】
次に、番組映像と番組中断信号を記録する例について図９（ｂ）を参照して説明する。即ち、番組映像の記録を開始した後（ステップＳ６１）、制御部５は、番組が中断されたか否かを判定し（ステップＳ６２）、番組が中断されたと判定した場合には、ステップＳ６２をステップＳ６３に分岐して、番組映像の記録を中断して、番組中断信号を番組映像記録部１２に記録する（ステップＳ６３）。
【００４３】
その後、制御部５は、番組が再開されたか否かを判定し（ステップＳ６４）、番組が再開されたと判定した場合には、ステップＳ６４をステップＳ６５に分岐して、番組映像の記録を再開する（ステップＳ６５）。
【００４４】
このように、第１の実施形態によれば、かつて旅行した所に関連する番組が放送されると、それをメモリ内の撮影画像と対応させて再生することができるので、折に触れて昔の思い出を回想することができ、撮影した画像を有効に利用して生活に潤いを与えることができる。なお、第１の実施形態では旅行番組のときのみ、こうした画像合成再生がなされる例を示したが、ドラマ内でも有名な観光地が舞台となるケースがあり、必ずしも旅行番組にこだわる必要はない。ユーザ操作によって、旅行番組以外の番組映像を選択できるようにしてもよい。
【００４５】
［第２の実施形態］
次に、本発明の第２の実施形態について説明する。第２の実施形態は、映像再生装置に入力されてくる画像が、誕生日、結婚記念日や卒業式などの記念日画像である。第２の実施形態では、例えば結婚式に撮影した画像が結婚記念日に関連する番組映像とともに映像再生装置上で再生される。なお、構成については図１で説明したものと同様のものが適用できる。
【００４６】
図１０は、第２の実施形態の映像再生の処理について示すフローチャートである。即ち、図１０において、映像再生装置の制御部５は、映像再生装置の電源スイッチがオンであるか否かを判定し（ステップＳ７１）、電源スイッチがオンである場合には、ステップＳ７１をステップＳ７２に分岐して、受信した番組映像を再生する（ステップＳ７２）。
【００４７】
その後、制御部５は、番組が中断されたか否かを判定し（ステップＳ７３）、番組が中断されていないと判定した場合には、ステップＳ７１に戻る。一方、ステップＳ７３の判定において番組が中断されたと判定した場合には、ステップＳ７３をステップＳ７４に分岐して、現在の日付を検出する（ステップＳ７４）。そして、検出した日付と同じ撮影日付の撮影画像がメモリ２内に記憶されているか否かを判定し（ステップＳ７５）、ステップＳ７４で検出した日付と同じ撮影日付の撮影画像がメモリ２内に記憶されていないと判定した場合には、ステップＳ７１に戻る。
【００４８】
一方、ステップＳ７５の判定において、ステップＳ７４で検出した日付と同じ撮影日付の撮影画像がメモリ２内に記憶されていると判定した場合には、ステップＳ７５をステップＳ７６に分岐して、現在放送されている番組がニュース番組であるか否かを判定する（ステップＳ７６）。ステップＳ７６の判定において、現在放送されている番組がニュース番組でないと判定した場合には、ステップＳ７１に戻る。一方、ステップＳ７６の判定において、現在放送されている番組がニュース番組であると判定した場合には、ステップＳ７６をステップＳ７７に分岐して、図１１（ａ）のようにして、撮影日付が同じ画像の一覧表示を所定時間行う（ステップＳ７７）。また、図１１（ｂ）のように、再生部１１の再生領域を画面分割し、番組映像は、参照符号１１ｂの部分に再生し、撮影画像は参照符号１１ａの部分に一覧表示するようにしてもよい。
【００４９】
ユーザがこれら一覧表示された撮影画像の再生をのぞむ時は、ボタン操作を行う。制御部５は、ユーザによって画像再生の指示がなされたか否かを判定しており（ステップＳ７８）、ユーザによって画像再生指示がなされると、ステップＳ７８をステップＳ７９に分岐して、順次これらの撮影画像を再生する（ステップＳ７９）。勿論再生する撮影画像をユーザが選択できるようにしても良い。一方、ステップＳ７８の判定において、ユーザからの画像再生の指示がないと判定した場合には、ステップＳ７１に戻る。
【００５０】
撮影画像の再生を行った後、制御部５は番組が再開されたか否かを判定し（ステップＳ８０）、番組が再開されたと判定した場合には、ステップＳ７１に戻る。一方、ステップＳ８０において、番組が再開されていないと判定した場合に、制御部５は、撮影画像再生を終了するか否かを判定し（ステップＳ８１）、ユーザによって電源オフ操作などがなされたなどにより、撮影画像再生を終了すると判定した場合には、図１０の処理を終了する。一方、ステップＳ８１の判定において撮影画像再生を終了しないと判定した場合には、ステップＳ７９に戻る。
【００５１】
このように、第２の実施形態では、映像再生装置によって番組映像再生を行った日付と同じ日付の一年前、二年前、三年前といった過去の撮影画像を再生することができるので、ユーザは、ここで再生された撮影画像を見て、何らかの記念日であることを思い出し、様々な感慨にふけることができる。このような手法でも、撮影した写真を有効に利用して、生活に潤いを与えることができる。
【００５２】
ここで、第２の実施形態のステップＳ７６において、番組の内容をニュースに限定したのは、例えばおめでたい結婚式の写真の次に暗い内容のドラマなどが放送されると、せっかくの雰囲気が台無しになってしまうことがあるので、これを防止するためである。ニュースであれば公正な事実の報道である場合が多く、記念日の写真再生にも影響しにくいと考えての例であるが、旅行番組やバラエティーショーなどの内容でも、楽しい雰囲気であることが多く、記念日画像の再生と関連付けても差し支えない。従って、図１０のステップＳ７６はニュース以外の番組でもステップＳ７７に分岐するようにしてもよい。
【００５３】
また、ステップＳ７４の日付検出は、必ずしも映像再生装置の電源がオンされた日付である必要はない。例えば、あるドキュメンタリー番組で同じ日に起こった事件が扱われたときに、関連する撮影画像を読み出すようにしても、自分の人生と実際の歴史とが組み合わされて、感慨にふけることができる。
【００５４】
以上説明したように、本発明の各実施形態によれば個人の撮影画像、入手画像を、多彩な番組と関連付け、補足・脚色しながら、より効率的に楽しむことができる。
【００５５】
以上実施形態に基づいて本発明を説明したが、本発明は上記した実施形態に限定されるものではなく、本発明の要旨の範囲内で種々の変形や応用が可能なことは勿論である。
【００５６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００５７】
【図１】本発明の第１の実施形態に係る映像再生装置を含む映像再生システムの構成図である。
【図２】映像再生装置内の制御部によって制御される画像再生制御のプログラムについて示すフローチャートである。
【図３】図３（ａ）は撮影画像の例を示す図であり、図３（ｂ）は番組映像の例を示す図であり、図３（ｃ）は２つの撮影画像と１つの番組映像とを合成した例を示す図であり、図３（ｄ）は１つの撮影画像と１つの番組映像とを合成した例を示す図である。
【図４】撮影画像の種別をユーザによって指定できるようにする処理について示すフローチャートである。
【図５】撮影画像の種別設定の処理をカメラが自動的に行う際の処理について示すフローチャートである。
【図６】旅行画像記録の処理について示すフローチャートである。
【図７】合成映像を再生する際の処理について示すフローチャートである。
【図８】番組映像と撮影画像とを順次切り換えて再生する際の例を示す図である。
【図９】番組映像記録時の処理について示すフローチャートである。
【図１０】本発明の第２の実施形態における記念日画像再生の処理について示す図である。
【図１１】撮影画像の一覧表示について示す図である。
【符号の説明】
【００５８】
１…デジタルカメラ（カメラ）、２…メモリ、３…映像再生装置、４…操作部、５…制御部、６…アンテナ、７…受信部、８…デコード部、９…検索照合部、１０…合成部、１１…再生部、１２…番組映像記録部、１３…放送局
【図１】
2005318305.tif 000003
【図２】
2005318305.tif 000004
【図３】
2005318305.tif 000005
【図４】
2005318305.tif 000006
【図５】
2005318305.tif 000007
【図６】
2005318305.tif 000008
【図７】
2005318305.tif 000009
【図８】
2005318305.tif 000010
【図９】
2005318305.tif 000011
【図１０】
2005318305.tif 000012
【図１１】
2005318305.tif 000013